(57)【要約】【課題】わずらわしいユーザインターフェースの設定や設定の呼び出しを行うことなく、ユーザにとって使い勝手のよいユーザインターフェースを提供できるユーザインターフェース設定システム等を提供する。【解決手段】携帯電話は、自己のユーザインターフェースの設定の内容を自己のＢｌｕｅｔｏｏｔｈ通信モジュールから送信する。ＭＦＰのＢｌｕｅｔｏｏｔｈ通信モジュールは、この内容を受信して、受信した内容を自己のユーザインターフェース設定として、ＭＦＰにおける表示部への表示処理で利用する。【選択図】図６
2004032086.tif 000002
【特許請求の範囲】
【請求項１】
所定のユーザインターフェースを備えた無線通信端末と、所定のユーザインターフェースを備え前記無線通信端末と通信可能な電子機器とを有し、前記電子機器のユーザインターフェースの設定を行うユーザインターフェース設定システムであって、
前記無線通信端末は、
当該無線通信端末のユーザインターフェースの設定を記憶する記憶手段と、
前記記憶手段に記憶されたユーザインターフェースの設定を特定する情報であるユーザインターフェース設定特定情報を前記電子機器へ送信する送信手段と
を備え、
前記電子機器は、
前記無線通信端末から送信されたユーザインターフェース設定特定情報を受信する受信手段と、
前記受信手段によって受信されたユーザインターフェース設定特定情報に基づいて当該電子機器のユーザインターフェースの設定を行う設定手段と
を備えることを特徴とするユーザインターフェース設定システム。
【請求項２】
前記電子機器は、前記所定のユーザインターフェースとして、当該機器に関する情報の報知を行うための報知手段を備え、
前記無線通信端末のユーザインターフェースの設定は、言語の設定であって、
前記電子機器の設定手段は当該言語の設定に応じたユーザインターフェースの設定を行い、前記報知手段は当該機器に関する情報を前記設定手段によって設定された言語で報知すること
を特徴とする請求項１に記載のユーザインターフェース設定システム。
【請求項３】
前記無線通信端末は、
当該無線通信端末のユーザインターフェースの設定の変更指示を入力するための入力手段と、
前記入力手段によって入力された変更指示に基づき、前記記憶手段に記憶されたユーザインターフェースの設定を変更する設定変更手段と
を備えることを特徴とする請求項１または２に記載のユーザインターフェース設定システム。
【請求項４】
前記電子機器は、所定通信範囲内に位置する前記無線通信端末の存在を確認する確認手段と、前記確認手段によって確認された無線通信端末に対して前記ユーザインターフェース設定特定情報の送信を要求する要求手段とを備え、
前記無線通信端末の前記送信手段は、前記要求手段による前記ユーザインターフェース設定特定情報の送信要求があった場合に、前記ユーザインターフェース設定特定情報を送信すること
を特徴とする請求項１〜３のいずれかに記載のユーザインターフェース設定システム。
【請求項５】
前記電子機器は、
所定通信範囲内の前記無線通信端末を検索する検索信号を送信する検索信号送信手段を備え、
前記無線通信端末の前記送信手段は、前記検索信号を受信した場合、前記ユーザインターフェース設定特定情報の送信を行うこと
を特徴とする請求項１〜３のいずれかに記載のユーザインターフェース設定システム。
【請求項６】
前記無線通信端末は、所定通信範囲内に位置する前記電子機器の存在を確認する確認手段を備え、前記送信手段は、前記確認手段によって確認された電子機器に対して前記ユーザインターフェース設定特定情報の送信を行うこと
を特徴とする請求項１〜３のいずれかに記載のユーザインターフェース設定システム。
【請求項７】
前記無線通信端末は、所定通信範囲内に位置する電子機器を検索するための検索信号を送信する検索信号送信手段を備え、
前記電子機器は、前記検索信号送信手段による検索信号を受信した際に、当該検索信号を送信してきた無線通信端末に対して前記ユーザインターフェース設定特定情報の送信を要求する要求手段を備え、
前記無線通信端末の前記送信手段は、前記要求手段による前記ユーザインターフェース設定特定情報の送信要求があった場合に、前記ユーザインターフェース設定特定情報を送信すること
を特徴とする請求項１〜３のいずれかに記載のユーザインターフェース設定システム。
【請求項８】
前記無線通信端末と前記電子機器との通信は、Ｂｌｕｅｔｏｏｔｈ規格に基づいて行うこと
を特徴とする請求項１〜７のいずれかに記載のユーザインターフェース設定システム。
【請求項９】
所定のユーザインターフェースを備えた無線通信端末、及び、所定のユーザインターフェースと、前記無線通信端末から送信されたユーザインターフェース設定特定情報を受信する受信手段と、前記受信手段によって受信されたユーザインターフェース設定特定情報に基づいて電子機器のユーザインターフェースの設定を行う設定手段とを備えた電子機器からなる前記電子機器のユーザインターフェースの設定を行うユーザインターフェース設定システムにおける前記無線通信端末であって、
当該無線通信端末のユーザインターフェースの設定を記憶する記憶手段と、
前記記憶手段に記憶されたユーザインターフェースの設定を特定する情報であるユーザインターフェース設定特定情報を前記電子機器へ送信する送信手段と
を備えることを特徴とする無線通信端末。
【請求項１０】
所定のユーザインターフェースと、当該ユーザインターフェースの設定を記憶する記憶手段と、前記記憶手段に記憶されたユーザインターフェースの設定を特定する情報であるユーザインターフェース設定特定情報を前記電子機器へ送信する送信手段とを備えた無線通信端末、及び所定のユーザインターフェースを備え前記無線通信端末と通信可能な電子機器からなる前記電子機器のユーザインターフェースの設定を行うユーザインターフェース設定システムにおける前記電子機器であって、
前記無線通信端末から送信されたユーザインターフェース設定特定情報を受信する受信手段と、
前記受信手段によって受信されたユーザインターフェース設定特定情報に基づいて当該電子機器のユーザインターフェースの設定を行う設定手段と
を備えることを特徴とする電子機器。
【請求項１１】
請求項１〜８のいずれかに記載のユーザインターフェース設定システムにおける各手段としてコンピュータを機能させるためのプログラム。
【発明の詳細な説明】
【０００１】
【発明の属する技術分野】
ユーザインターフェース設定システム等に関する。
【０００２】
【従来の技術】
従来より、種々の電子機器において、機器の設定や状態などを表示装置に表示することによってユーザに知らせたり、ユーザからの指示をスイッチ等の入力装置から入力したりしている。
【０００３】
こうした電子機器では、ユーザが使いやすいように報知方法や入力方法などのユーザインターフェースを設計している。例えば、ユーザの使用する言語、年齢等を加味してユーザインターフェースを構成する。すなわち、日本向けの機器であれば日本語で報知するように構成し、アメリカ向けの機器であれば英語で報知するように構成する。また、例えば、子供向けの機器であれば、表示される文字をひらがなのみとしたり、高齢者向けの機器であれば、表示文字サイズを通常より大きくしたりするなど、その製品のユーザ層に応じたユーザインターフェースを採っている。
【０００４】
そして、さらにこのようなユーザインターフェースを、ユーザによって設定可能とした電子機器も存在する。例えば、複数の言語による報知を可能に構成した電子機器で、報知を行う言語をユーザが設定可能としたものや、ユーザ毎にユーザインターフェースの設定が可能なものが知られている。例えばファックスやプリンタなどといった電子機器では、現在の通信状況、印刷状況、設定内容などの報知方法に関して、ユーザの好みに応じた設定を可能として、使い勝手を向上させたものがある。このような電子機器では、ユーザは、機器上のパネル等を操作して、ユーザ毎のユーザインターフェース設定を行ったり、ユーザが機器に設定しておいた自己のユーザインターフェース設定を呼び出して利用したりしている。こうして、各人が自己の好みのユーザインターフェースを利用することができる。
【０００５】
【発明が解決しようとする課題】
しかしながら、ユーザは、こうしたユーザインターフェースの設定を行う方法や、既に設定した自己のユーザインターフェースの設定を呼び出す方法などについて、各機器毎に覚えておき、機器を利用するたびにその方法を実行して自己の好みの設定に変更する必要がある。特に今日の電子機器は、小型化・低コスト化の要求に伴い、機能は増加しつづけているものの設定用のボタンの数は限られた数にする必要があり、また表示装置も小型のものとする必要があることが多いため、こうした機器の設定は非常にやりにくいものとなっている。例えば、ファックスなどでは、テンキーと設定用の特殊キーの組み合わせによって設定を行うものが多く、操作体系が直感的でなく、覚えにくいという問題がある。また、こうした設定方法や設定の呼び出し方法を忘れると、そのたびに取扱説明書などを読んでその方法を確認する必要があり、非常に手間がかかってしまう。
【０００６】
また、こうした電子機器が多数ある場合、それぞれの機器にユーザインターフェースの設定を行ったり、設定を呼び出したりする操作をするのは、非常に手間がかかるという問題がある。
そこで、本発明は、上述した問題点を解決し、わずらわしいユーザインターフェースの設定や設定の呼び出しを行うことなく、ユーザにとって使い勝手のよいユーザインターフェースを提供できるユーザインターフェース設定システム等を提供することを目的とする。
【０００７】
【課題を解決するための手段及び発明の効果】
上述した問題点を解決するためになされた請求項１に記載のユーザインターフェース設定システムは、無線通信端末が自己のユーザインターフェースの設定を記憶しており、この記憶した自己のユーザインターフェースの設定を特定する情報であるユーザインターフェース設定特定情報を電子機器へ送信する。そして電子機器が、無線通信端末から送信されたユーザインターフェース設定特定情報を受信し、受信したユーザインターフェース設定特定情報に基づいてその電子機器のユーザインターフェースの設定を行う。
【０００８】
したがって、無線通信端末のユーザインターフェースの設定に基づいて、電子機器のユーザインターフェースの設定がなされるため、この無線通信端末を所持するユーザは、いちいち電子機器を操作して電子機器のユーザインターフェースの設定を行わなくても、無線通信端末と同様のユーザインターフェースで、電子機器を利用することが可能となる。
【０００９】
例えば、無線通信端末として、携帯電話やＰＤＡなど個人が使用する機器が無線によって、ファックス等の電子機器と通信可能であるとする。この時、ファックス等のユーザインターフェースの設定を、携帯電話のユーザインターフェースの設定に応じて変更することができる。このように、無線通信端末が個人利用の端末であり、電子機器が複数の者で利用される機器の場合に、特に優れた効果を発揮する。
【００１０】
特に、電子機器が公衆に設置される情報端末や公衆電話等の場合、当該機器内に各ユーザの設定を予め記憶しておき、その設定を切り換えて利用するといった構成を採ることは困難である。しかし、請求項１に示すようにすることで、不特定多数のユーザに、各自の使いやすいユーザインターフェースを容易に提供することができる。
【００１１】
なお、ユーザインターフェース設定特定情報は、例えば、ユーザインターフェースの項目名（またはＩＤ）とその内容（値）とすることができる。また、ユーザインターフェースの設定としては、例えば、表示フォントの大小（サイズ）、表示画面の輝度、スピーカ音量の大小、入力方法などが挙げられる。
【００１２】
特に、電子機器のユーザインターフェースの設定には、請求項２に示すように、言語の設定を含めるとよい。ユーザが電子機器を利用しようとした際に、その機器の言語の設定がユーザの理解できない言語の設定になっていると、設定の変更方法等の報知もユーザが理解できない言語でなされることとなるため、ユーザが理解できる言語の設定に、設定を変更すること自体が困難な場合がある。例えば欧州向けの電子機器などでは、数カ国語のユーザインターフェースが用意されており、ユーザが理解できない言語で表示されているものを、ユーザが理解できる言語の設定に設定しなおすのが困難であるという問題があった。しかし、請求項２のようにして、無線通信端末の言語の設定に応じて電子機器のユーザインターフェースの設定を行い、その電子機器に関する情報を、この言語で行うようにすれば、こうした問題をなくすことができる。
【００１３】
こうした無線通信端末のユーザインターフェースの設定は、例えば、その無線通信端末の設計時の仕様として固定されているものでもよい。例えば日本語表示専用の無線通信端末の場合には、言語の設定として日本語を用い、子供向けの無線通信端末の場合には、文字の設定をひらがなとして用いることができる。
【００１４】
また、無線通信端末のユーザインターフェースの設定は、例えば、ユーザが変更可能なものでもよい。すなわち、請求項３に示すようにして、例えばユーザなどから入力されたユーザインターフェースの設定の変更指示に基づいて、無線通信端末のユーザインターフェースの設定を変更可能とするとよい。例えば、無線通信端末が、日本語と英語の報知が可能な無線通信端末であれば、ユーザが設定した方の言語を言語の設定として用いるようにする。
【００１５】
このようにユーザが変更可能な無線通信端末のユーザインターフェースの設定は、ユーザにとって使いやすいように設定されていることが多い。したがって、電子機器のユーザインターフェースの設定も、ユーザにとって使いやすい設定とすることができる。特に、無線通信端末が、携帯電話やＰＤＡのように、ユーザが携帯して常日頃から比較的頻繁に利用する携帯端末である場合、その端末のユーザインターフェースの設定は、ユーザの利用しやすいように変更（カスタマイズ）されていることが多い。したがって、無線通信端末がこうした携帯端末である場合には、電子機器のユーザインターフェースの設定をユーザ好みのユーザインターフェースに容易に変更することができる。
【００１６】
なお、無線通信端末と、電子機器とのユーザインターフェース設定特定情報のやりとりは、例えば、請求項４〜７に記載のようにして行うことができる。例えば、電子機器または無線通信端末から所定通信範囲内にある無線通信端末または電子機器を検索し、検索のあった際、または要求のあった際に、ユーザインターフェース特定情報を送信するようにする。
【００１７】
請求項４に記載のユーザインターフェース設定システムは、電子機器が、所定通信範囲内に位置する無線通信端末の存在を確認し、確認された無線通信端末に対してユーザインターフェース設定特定情報の送信を要求する。そして、無線通信端末が、この送信要求があった場合にユーザインターフェース設定特定情報を送信する。このようにすれば、電子機器が所定通信範囲内に位置する無線通信端末を確認できた際に、その確認した無線通信端末からユーザインターフェース設定特定情報を取得して、自己のユーザインターフェース設定を行うことができる。
【００１８】
なお、確認手段は、例えば、所定通信範囲内の前記無線通信端末を検索する検索信号を送信する検索信号送信手段と、前記検索信号に対する前記無線通信端末からの応答信号を受信する応答信号受信手段とを備え、応答信号受信手段による応答信号の受信によって前記確認を行うようにすればよく、この場合、無線通信端末は、前記検索信号を受信する検索信号受信手段と、前記検索信号受信手段によって検索信号が受信された場合に当該検索信号に対する応答信号を送信する応答信号送信手段を備えるようにすればよい。
【００１９】
このように無線通信端末は、要求信号があった場合にユーザインターフェース設定特定情報を送信するようにしてもよいが、検索信号を検出した際にすぐに送信するようにしてもよい。
請求項５に記載のユーザインターフェース設定システムによれば、電子機器が通信可能な無線通信端末を検索する検索信号を送信し、無線通信端末が検索信号を受信した際に、無線通信端末がユーザインターフェース設定特定情報の送信を行う。このようにすれば、例えば、電子機器から検索（特にＢｌｕｅｔｏｏｔｈではインクワイアリという）があった場合に、電子機器のユーザインターフェースの設定が、無線通信端末から受信したユーザインターフェース特定情報に基づく設定となる。例えば、電子機器は、例えば、適切な時間間隔で無線通信端末を検索することで、常に、所定通信範囲内の無線通信端末のユーザインターフェースの設定に基づいた設定に、自己のユーザインターフェースの設定を行うことが可能となる。また、ユーザからの検索指示の入力にもとづいて検索信号の送信を行うようにして、ユーザインターフェースの設定を行うことも可能となる。
【００２０】
このように、電子機器から所定通信範囲内の無線通信端末を確認したり、検索するようにしてもよいし、逆に無線通信端末から電子機器を確認したり、検索するようにしてもよい。
請求項６に記載のユーザインターフェース設定システムは、無線通信端末が、所定通信範囲内に位置する前記電子機器の存在を確認し、確認された電子機器に対してユーザインターフェース設定特定情報の送信を行う。このようにすれば、無線通信端末で電子機器の存在が確認された際に、電子機器のユーザインターフェースの設定を、無線通信端末のユーザインターフェースの設定と同様の設定にすることができる。
【００２１】
なお、確認手段は、例えば、所定通信範囲内の前記電子機器を検索する検索信号を送信する検索信号送信手段と、前記検索信号に対する前記電子機器からの応答信号を受信する応答信号受信手段とを備え、応答信号受信手段による応答信号の受信によって前記確認を行うようにすればよく、この場合、電子機器は、前記検索信号を受信する検索信号受信手段と、前記検索信号受信手段によって検索信号が受信された場合に当該検索信号に対する応答信号を送信する応答信号送信手段を備えるようにすればよい。すなわち、無線通信端末が、所定通信範囲内に位置する電子機器を検索するための検索信号を送信し、電子機器が、この検索信号を受信した際に応答信号を送信する。そして、無線通信端末は、応答信号を受信した際に、ユーザインターフェース設定特定情報の送信を行うようにする。このようにすれば、例えば、無線通信端末からの検索が確認された場合に、電子機器がそれに応答した際に、電子機器に対してユーザインターフェース設定特定情報を送信することができる。
【００２２】
また、請求項７に記載のユーザインターフェース設定システムは、無線通信端末が、所定通信範囲内に位置する電子機器を検索するための検索信号を送信し、電子機器が、この検索信号を受信した際に、検索信号を送信してきた無線通信端末に対してユーザインターフェース設定特定情報の送信を要求し、前記無線通信端末は、この送信要求があった場合に、ユーザインターフェース設定特定情報を送信する。このようにすれば、無線通信端末からの検索信号があった場合に、電子機器は、無線通信端末にユーザインターフェース設定特定情報を要求して、取得し、自己のユーザインターフェースの設定とすることができる。
【００２３】
なお、請求項４、７に記載の要求手段は、例えば無線によって要求信号を送信することで実現できる。
そして、無線通信端末と電子機器との間の通信は、種々の通信方法を採ることができる。特に、例えば請求項８に示すように、Ｂｌｕｅｔｏｏｔｈ（登録商標）規格に基づく無線通信を利用すると優れた効果を発揮する。すなわち、Ｂｌｕｅｔｏｏｔｈ規格では、比較的近距離（例えば数メートル〜百メートル程度）の範囲を所定通信範囲としており、通信を行うに先立って、この所定通信範囲内に存在する機器のアドレス（ＢＤアドレス）と機器名を取得する検索信号の送信（インクワイアリ）を行うからである。
【００２４】
特に所定通信範囲を、電子機器から数メートルの範囲の範囲とした近距離無線通信手段によって検索や要求を行うようにすれば、機器を利用するユーザの所持する無線通信端末のユーザインターフェースの設定と同様の設定に電子機器のユーザインターフェースの設定を行うことができる。
【００２５】
このような無線による通信可能な範囲は、電子機器の利用時のユーザと電子機器の位置関係を加味して決定するとよい。すなわち、ユーザが電子機器を利用する際には、その電子機器と所定の位置関係になって利用することが多い。例えば、電子機器がファクシミリであれば、ユーザは、送信原稿をファクシミリにセットし、操作パネルから送信先を選択するために、ユーザは、例えばファクシミリの操作パネルの前から操作を行う。このような場合には、ファクシミリの操作パネルから例えば半径２ｍ以内などを、所定の範囲を通信範囲とするとよい。このようにすれば、無線通信端末を所持したユーザが、電子機器を利用しようとした際に、自動的に電子機器のユーザインターフェースが自己の無線通信端末のユーザインターフェースと同様のユーザインターフェースに切り替わる。したがって、ユーザは、わずらわしいユーザインターフェースの設定や呼び出し操作をすることなく電子機器を自己の好みのユーザインターフェースで使用することができる。そのため、例えば、電子機器が複数の者によって共用される機器であったとしても、各個人用の機器のように利用することができる。なお、通信可能な範囲は、ユーザを一意に特定可能な範囲に限定するとよい。
【００２６】
なお、例えば通信相手が存在しない場合には、予め設定されたユーザインターフェース設定に設定するとよい。例えば、ユーザが電子機器から離れ、ユーザが所持する無線通信端末からの応答信号等が電子機器で受信できなくなった際には、電子機器のユーザインターフェースをデフォルトのユーザインターフェースに戻す。このようにすれば、無線通信端末を持たないユーザが電子機器を利用しようとした際に、容易に利用することができる。
【００２７】
なお、請求項１〜８では、ユーザインターフェース設定システムとしての請求項を挙げたが、このようなシステムにおいて利用可能な無線通信端末の請求項あるいは電子機器の請求項とすることもできる。例えば、請求項９や請求項１０に示すようにすることができ、請求項１と同様の効果を発揮する。なお、請求項９，１０は、それぞれ請求項１の内容に対応する無線通信端末と電子機器の請求項であるが、請求項２〜８についても、無線通信端末に関する手段については、その手段を備えた無線通信端末の請求項とすることができ、電子機器に関する手段については、その手段を備えた電子機器の請求項とすることができ、上述した各請求項に記載の効果と同様の効果を得ることのできる無線通信端末及び電子機器を実現できる。
【００２８】
なお、請求項１１に示すように、請求項１〜８に記載のユーザインターフェース設定システムをコンピュータにて実現する場合、例えば、コンピュータで実行するプログラムとして備えることができる。このようなプログラムの場合、例えば、フレキシブルディスク、光磁気ディスク、ＣＤ−ＲＯＭ、ハードディスク、ＲＯＭ、ＲＡＭ等のコンピュータ読み取り可能な記録媒体に記録し、必要に応じてコンピュータにロードして実行したり、ネットワークを介してロードして実行することにより、各手段としての機能を実現できる。
【００２９】
【発明の実施の形態】
以下、本発明が適用された実施例について図面を用いて説明する。なお、本発明の実施の形態は、下記の実施例に何ら限定されることなく、本発明の技術的範囲に属する限り種々の形態を採りうることは言うまでもない。
【００３０】
図１は、本実施例のユーザインターフェース設定システム１の構成を示すブロック図である。ユーザインターフェース設定システム１は、無線通信端末としての携帯電話１０と、電子機器としての複合機であるＭＦＰ（Ｍｕｌｔｉ　Ｆｕｎｃｔｉｏｎ　Ｐｅｒｉｐｈｅｒａｌｓ）３０とを備える。
【００３１】
ＭＦＰ３０は、ＣＰＵ３１、ＲＯＭ３２、ＲＡＭ３３、ＬＣＤ等による表示部３４、テンキーと機能キー等で構成された操作部３５、Ｂｌｕｅｔｏｏｔｈ（登録商標、以下同じ）規格に基づく無線通信を行うＢｌｕｅｔｏｏｔｈ通信モジュール３６、ＬＡＮとの通信インターフェースであるイーサネット（登録商標）インターフェース（Ｉ／Ｆ）３７、公衆回線網に接続可能に構成され、発呼・着呼等の制御や公衆回線網を介して他のＦＡＸとのデータの送受信などを行う電話回線接続部３８、通話に用いるハンドセット３９、原稿を読み取るスキャナ４０、用紙への印刷を行う印字部４１などを備える。
【００３２】
ＭＦＰ３０は、ＣＰＵ３１がＲＯＭ３２に記憶されたプログラムを実行することにより種々の処理を行う。例えば、イーサネット（登録商標）Ｉ／Ｆ３７やＢｌｕｅｔｏｏｔｈ通信モジュール３６を制御して、他の機器から送信された印刷データを受信する受信処理を行い、受信したデータに基づいて印字部４１を制御して印刷を行う印刷処理を行う。また、受信したデータに基づいて電話回線接続部３８を制御して公衆回線網を介して他のＭＦＰ３０へのデータの送信を行うＦＡＸ送信処理と、他のＭＦＰ３０から公衆回線網を介して電話回線接続部３８に入力されたデータを印字部４１を制御して印刷するＦＡＸ受信処理を行う。さらにＭＦＰ３０は、一般的な複合機の備えるその他の種々の処理を行う。例えば、ハンドセット３９及び電話回線制御部３８等を制御して通話を行うための通話処理や、スキャナ４０及び印字部４１等を制御してスキャナ４０で読み取った原稿を用紙へコピーするコピー処理を行う。
【００３３】
Ｂｌｕｅｔｏｏｔｈ通信モジュール３６の通信範囲は、例えば図２に破線で示すように、ＭＦＰ３０から半径数メートル（例えば５ｍ）の範囲であり、この範囲内に入った携帯電話１０との通信が可能である。例えば、図２に示す状態では、携帯電話１０ａは、ＭＦＰ３０と通信可能であり、携帯電話１０ｂ，１０ｃは、ＭＦＰ３０とは通信ができない。
【００３４】
一方、携帯電話１０は、図１に示すように、ＣＰＵ１１、ＲＯＭ１２、ＲＡＭ１３、ＬＣＤ等による表示部１４、テンキーと機能キー等で構成された操作部１５、スピーカ１７、マイク１８、振動発生部１９等を備えた一般的な携帯電話に対して、さらにＢｌｕｅｔｏｏｔｈ規格に基づく無線通信を行うＢｌｕｅｔｏｏｔｈ通信モジュール１６を備えたものである。そして、携帯電話１０は、ＲＯＭ１２に記憶されたプログラムをＣＰＵ１１が実行することにより上記各部を制御し、通話処理、電子メール処理、ブラウザ処理など、一般的な携帯電話と同様の処理を行う。
【００３５】
また、携帯電話１０は、ＲＡＭ１３に備えた不揮発性のメモリであるＮＶＲＡＭに、表示部１４への表示方法やスピーカ１７からの音声等の出力方法などのユーザインターフェース設定を記憶している。このユーザインターフェース設定は、図３（ａ）のような設定情報管理データベースとして記憶しており、ＣＰＵ１１は、各処理において、このデータベースに記憶されたユーザインターフェースの設定に基づいて表示部１４に対して表示を行い、また、スピーカ１７からの出力を行う。
【００３６】
例えば、高齢者向けの設定が記憶された携帯電話１０ａ（図２参照）では、図３（ａ）の▲１▼に示すようなユーザインターフェース設定を、設定情報管理データベース５０ａに記憶している。すなわち、利用者名が「おじいちゃん」，文字セットが日本語（ｊａｐａｎｅｓｅ）、文字サイズが１５ポイント、受話音量（スピーカ１７の出力レベル）と通話音量（マイク１８の感度レベル）が「１５」とやや大きめ（音量の最大値は２０）、漢字モードがＯＦＦ（ひらがな表示）という設定である。　そして、携帯電話１０ａは、各処理において、この設定情報管理データベース５０ａの設定に従った表示を行う。例えば、設定内容の表示を行う設定内容表示処理では、図３（ｂ）の▲１▼に示すように、日本語のひらがなの１５ポイントの文字で、表示部１４ａへの表示を行う。
【００３７】
また例えば、若者向けの設定がされた携帯電話１０ｂ（図２参照）では、図３（ａ）の▲２▼に示すようなユーザインターフェース設定を設定情報管理データベース５０ｂに記憶している。すなわち、利用者名が「お兄ちゃん」，文字セットが日本語（ｊａｐａｎｅｓｅ）、文字サイズが１０ポイント、受話音量と通話音量が「１０」と普通（音量の最大値は２０）、漢字モードがＯＮ（漢字表示）という設定である。そして、携帯電話１０ｂは、各処理において、この設定情報管理データベース５０ｂの設定に従った表示を行う。例えば、設定内容の表示を行う設定内容表示処理では、図３（ｂ）の▲２▼に示すように、日本語の漢字混じりの１０ポイントの文字で、表示部１４ｂへの表示を行う。
【００３８】
また、携帯電話１０のＲＯＭ１２には、例えば操作部１５から入力されたデータなど、ＣＰＵ１１による処理によって生成されたデータを、Ｂｌｕｅｔｏｏｔｈ通信モジュール１６を制御して送信するためのプログラムが記憶されており、このプログラムをＣＰＵ１１が実行することにより、Ｂｌｕｅｔｏｏｔｈ規格による他の機器とのデータのやりとりを行う。
【００３９】
そして、携帯電話１０は、携帯電話１０の設定情報管理データベース５０（例えば図３（ａ）の５０ａ，５０ｂ）に記憶されたユーザインターフェースの設定を、Ｂｌｕｅｔｏｏｔｈ通信モジュール１６を介して、外部の機器へ転送するユーザインターフェース設定転送処理を行う。また、ＭＦＰ３０は、Ｂｌｕｅｔｏｏｔｈ通信モジュール３６を介して携帯電話１０から送信されたユーザインターフェース設定を取得し、取得したユーザインターフェースの設定内容を、自機器のユーザインターフェースの設定内容とするユーザインターフェース設定処理を行う。これらの処理について、図４〜図７を参照して説明する。
【００４０】
図４は、ＭＦＰ３０におけるユーザインターフェース設定の設定処理の流れを示すフローチャートであり、図５は、携帯電話１０におけるユーザインターフェース設定の転送処理の流れを示すフローチャートである。また、図６は、これらの処理によるＭＦＰ３０と携帯電話１０との間のＢｌｕｅｔｏｏｔｈによる通信の様子およびＭＦＰ３０の状態を示す図である。
【００４１】
図４のＳ１１０に示すように、ＭＦＰ３０は、Ｂｌｕｅｔｏｏｔｈ通信モジュール３６から接続相手検索信号（インクワイアリ）を送信する（図６の▲１▼接続相手検索パケット送信に相当する）。そして、Ｓ１２０では、Ｂｌｕｅｔｏｏｔｈ通信モジュール３６が接続相手検索レスポンスを受信したか否かを判定し、受信していない場合にはＳ１１０へ戻って、再度送信を行う。
【００４２】
一方、携帯電話１０は、図５に示すように、接続待ち状態を経て（Ｓ３１０）、Ｂｌｕｅｔｏｏｔｈ通信モジュール１６が接続相手検索信号（インクワイアリ）を受信したか否かを判定する（Ｓ３２０）。接続相手検索信号を受信した場合には（Ｓ３２０：ＹＥＳ）、Ｓ３３０へ移行し、接続相手検索レスポンスを送信して（図６の▲２▼レスポンスパケット送信に相当する）、Ｓ３４０へ移行する。一方、接続相手検索信号を受信していない場合には、Ｓ３１０へ戻る。
【００４３】
ＭＦＰ３０は、Ｂｌｕｅｔｏｏｔｈ通信モジュール３６が接続相手検索レスポンスを受信した場合（図４のＳ１２０：ＹＥＳ）、Ｓ１３０へ移行し、携帯電話１０との間で接続情報の送受信を行い（Ｓ１３０、図６の▲３▼▲４▼に相当する）、この送受信に成功すると（Ｓ１４０：ＹＥＳ）、Ｓ１５０へ移行して、接続完了処理を行う（Ｓ１５０）。
【００４４】
同様に携帯電話１０は、図５に示すように、Ｓ３４０で、接続情報の送受信を行い（図６の▲３▼▲４▼に相当する）、接続情報の送受信に成功すると（Ｓ３５０：ＹＥＳ）、Ｓ３６０へ移行して、接続完了処理を行う（Ｓ３６０）。
そして、携帯電話１０は、Ｓ３７０で、設定要求を示す情報と、図３（ａ）に示した設定情報管理データベース５０に記憶された設定項目と設定内容のセットとを含む設定要求パケットを送信する処理を行い、このパケット送信に成功すると（Ｓ３８０：ＹＥＳ）、Ｓ３９０へ移行する。
【００４５】
ＭＦＰ３０は、Ｂｌｕｅｔｏｏｔｈ通信モジュール３６がパケットを受信するまで待機し（Ｓ１６０）、パケットを受信すると（Ｓ１６０：ＹＥＳ）、Ｓ１７０へ移行して、受信したパケットが、設定要求を含むパケットであるか否かを判定し、設定要求を含むパケットである場合には（Ｓ１７０：ＹＥＳ）、Ｓ１８０へ移行する。一方、設定要求を含まないパケットの場合には（Ｓ１７０：ＮＯ）、Ｓ１９０へ移行する。そして、Ｓ１８０では、ＭＦＰ３０のユーザインターフェースの設定内容を、受信した設定要求パケットに含まれる設定内容に設定する。その結果、以後の処理において、表示部３４には、携帯電話１０から受信した携帯電話１０のユーザインターフェース設定に従った報知がなされることとなる。例えば、図２に示すように、ＭＦＰ３０が「おじいちゃん」の所持する携帯電話１０ａから、図３（ａ）の▲１▼に示す設定項目と設定内容を含むパケットを受信した場合には、図７（ａ）のように、この設定内容に従った表示を行う。すなわち、文字セットを日本語、文字サイズを１５ポイント、受話音量と通話音量を「１５」とやや大きめ（音量の最大値は２０）、漢字モードをＯＦＦ（ひらがな表示）という設定での表示を行い、例えば図７（ａ）の表示となる。一方、ＭＦＰ３０が「お兄ちゃん」の所持する携帯電話１０ｂから図３（ａ）の▲２▼に示す設定項目と設定内容を含むパケットを受信した場合、図７（ｂ）のように、この設定内容に従った表示を行う。すなわち、文字セットを日本語、文字サイズを１０ポイント、受話音量と通話音量を「１０」（普通）、漢字モードをＯＮ（漢字表示）という設定での表示を行い、図７（ｂ）の表示となる。
【００４６】
そして、携帯電話１０は、Ｓ３９０で無線通信の切断処理を行う。すなわち、Ｂｌｕｅｔｏｏｔｈ通信モジュール１６から切断要求を送信して（図６の▲６▼に相当する）、ＭＦＰ３０からのＢｌｕｅｔｏｏｔｈ通信モジュール１６への切断完了の信号（図６の▲７▼に相当する）を待ち、Ｂｌｕｅｔｏｏｔｈ通信モジュール１６が切断完了の信号を受信したら、この無線通信を終了する。そして再びＳ３１０からの処理を開始する。
【００４７】
一方、ＭＦＰ３０は、Ｓ３９０で切断処理を行う。すなわち、携帯電話１０からの切断要求を待ち、切断要求を受信したら、切断完了の信号を送信して、この処理を終了する。そして再びＳ１１０からの処理を開始する。
このようにして、ＭＦＰ３０のＢｌｕｅｔｏｏｔｈ通信モジュール３６の通信範囲に入った携帯電話１０のユーザインターフェース設定と、ＭＦＰ３０のユーザインターフェース設定を同一にすることができる。したがって、ＭＦＰ３０の利用者は、自己の携帯電話１０を所持してＭＦＰ３０に近づくだけで、ＭＦＰ３０のユーザインターフェースが常に利用者にとって使いやすい設定で、利用可能となる。よって、従来のようなわずらわしいユーザインターフェースの設定や、設定した内容の呼び出しを行うことなく、ユーザにとって使い勝手のよいユーザインターフェースを提供できる。
【００４８】
なお、図３（ａ）の設定情報管理データベース設定内容は、携帯電話１０の機能として固定されているものであってもよいし、変更可能なものでもよい。変更可能な場合には、ユーザが操作部１５を操作して変更可能とするとよい。つまり、例えば、携帯電話１０ａと携帯電話１０ｂは、それぞれ、図３（ｂ）の▲１▼▲２▼のような表示方法に固定されているものでもよいし、例えば、携帯電話１０ａと携帯電話１０ｂは同一の携帯電話で、設定が変更可能であり、おじいちゃんとお兄ちゃんがそれぞれ図３（ａ）の▲１▼と▲２▼に示すように設定を変更したものでもよい。このように設定を変更できるように構成した場合には、図３（ｂ）のようにユーザにとって使いやすいユーザインターフェースとなるように、ユーザによって携帯電話１０の設定がカスタマイズされるため、図７（ａ）（ｂ）のように、ユーザの好みの表示をＭＦＰ３０で行うことができる。
【００４９】
またＭＦＰ３０は、例えば、図４のＳ１２０にて、接続相手検索レスポンスを受信しない状態が所定時間（例えば１分）続いた場合に、ユーザインターフェース設定をＲＯＭ３２に予め記憶されたデフォルト設定に設定しなおすとよい。このようにすれば、携帯電話１０を持たないユーザがＭＦＰ３０を利用しようとした際に、ユーザインターフェースを、デフォルト設定とすることができ、ユーザはＭＦＰ３０を容易に利用することができる。
［その他］
上述した実施例では、図４〜図６に示したように、設定要求バケットの受信をＭＦＰ３０側で待ち（図４のＳ１６０）、携帯電話１０からの設定要求パケットを受信した際に（Ｓ１７０：ＹＥＳ）、設定内容を更新する（Ｓ１８０）こととしたが、ＭＦＰ３０側から携帯電話１０に対して設定情報管理データベースの送信を要求するようにしてもよい。また、Ｂｌｕｅｔｏｏｔｈによる通信に用いるプロトコルとしては、種々のプロトコルを用いることができるが、例えばＴＣＰ／ＩＰを用い、ＳＮＭＰによって、ユーザインターフェース設定をやりとりするようにしてもよい。このように構成した場合の例について、図８及び図９を参照して説明する。
【００５０】
携帯電話１０は、ＳＮＭＰエージェントの機能を備え、ＭＦＰ３０にＳＮＭＰマネージャの機能を備える。そして、双方にＳＮＭＰのＭＩＢ定義を図８のように設けておき、携帯電話１０は、このＭＩＢ定義と図３の設定情報管理データベースとを関連付けて記憶している。また、携帯電話１０は、例えば、図８（ｂ）に示すように、図８（ａ）のＭＩＢ定義の各行と、図３（ａ）の設定情報管理データベースの内容を関連付けて記憶している。すなわち、図８（ａ）（ｂ）の名称ｔｍＵｓｅｒＮａｍｅの行は図３（ａ）の「利用者名」の内容に、ｔｍＣｈａｒａＳｅｔの行は「文字セット」の内容に、ｔｍＦｏｎｔＳｉｚｅの行は「文字サイズ」の内容に、ｔｍＨｅａｒＶｏｌｕｍｅの行は「受話音量」の内容に、ｔｍＳｐｅａｋＶｏｌｕｍｅの行は「通話音量」の内容に、ｔｍＤｉｓｐＨｉｒａｇａｎａの行は、「漢字」の内容にそれぞれ対応づけて記憶している。
【００５１】
そして、携帯電話１０及びＭＦＰ３０は、図４〜６の処理に代えて図９に示す処理を行う。
図９に示すように、ＭＦＰ３０のＣＰＵ３１は、ＳＮＭＰマネージャにおける処理により、図８（ａ）の設定項目の中から自己のユーザインターフェース設定として携帯電話１０から取得すべき設定項目に対応するＯＩＤ（Ｏｂｊｅｃｔ　Ｉｄｅｎｔｉｆｉｅｒ）　を指定するＳＮＭＰのＧＥＴリクエストをＢｌｕｅｔｏｏｔｈ通信モジュール３６からブロードキャストする。このブロードキャストを携帯電話１０のＢｌｕｅｔｏｏｔｈ通信モジュール１６が受信した場合には、携帯電話１０のＣＰＵ１１は、ＳＮＭＰエージェントにおける処理により、上述した図８（ａ）（ｂ）、図３（ａ）の対応関係をたどって、ＭＦＰ３０のＳＮＭＰマネージャから要求されたＯＩＤに対応する設定の内容をＢｌｕｅｔｏｏｔｈ通信モジュール１６から送信する。例えば、図９に示すように、携帯電話１０ａであれば、図８（ｂ）の▲１▼の内容を送信し、携帯電話１０ｂであれば、図８（ｂ）の▲２▼の内容を送信する。
【００５２】
そして、ＭＦＰ３０のＢｌｕｅｔｏｏｔｈ通信モジュール３６は、この内容を受信して、上記実施例のＳ１８０と同様にして、この受信した内容を自己のユーザインターフェース設定として設定する。
なお、携帯電話１０のＳＮＭＰエージェントは、例えばＭＦＰ３０から受け取ったＯＩＤに対応するデータが存在しない場合には、「ｎｏ　ｓｕｃｈ」をＭＦＰ３０のＳＮＭＰマネージャに送信する。この「ｎｏ　ｓｕｃｈ」を受信したＭＦＰ３０は、その「ｎｏ　ｓｕｃｈ」対応するＯＩＤの設定項目に関して、デフォルト設定を利用する。このようにすれば、製品間で、ＭＩＢの互換性を確保しつつ、ＭＩＢ（設定項目）の拡張を容易に行うことができる。
【図面の簡単な説明】
【図１】実施例のユーザインターフェース設定システムの構成を示すブロック図である。
【図２】ＢｌｕｅｔｏｏｔｈによるＭＦＰの通信範囲を示す説明図である。
【図３】携帯電話のユーザインターフェース設定と設定表示画面の例を示す説明図である。
【図４】ＭＦＰにおけるユーザインターフェース設定処理の流れを示すフローチャートである。
【図５】携帯電話におけるユーザインターフェース設定の転送処理の流れを示すフローチャートである。
【図６】ＭＦＰと携帯電話との間のＢｌｕｅｔｏｏｔｈによる通信の例を示す説明図である。
【図７】ＭＦＰの設定表示画面の表示例を示す説明図である。
【図８】ユーザインターフェース設定システムにおけるＳＮＭＰのＭＩＢ定義を示す図である。
【図９】ＳＮＭＰを利用したＭＦＰと携帯電話の通信の例を示す説明図である。
【符号の説明】
１…ユーザインターフェース設定システム
１０…携帯電話　１１…ＣＰＵ　１２…ＲＯＭ　１３…ＲＡＭ
１４…表示部　１５…操作部　１６…Ｂｌｕｅｔｏｏｔｈ通信モジュール
１７…スピーカ　１８…マイク　１９…振動発生部
３０…ＭＦＰ　３１…ＣＰＵ　３２…ＲＯＭ　３３…ＲＡＭ
３４…表示部　３５…操作部　３６…Ｂｌｕｅｔｏｏｔｈ通信モジュール
３７…イーサネット（登録商標）Ｉ／Ｆ　３８…電話回線接続部
３９…ハンドセット　４０…スキャナ　４１…印字部
５０…設定情報管理データベース
【図１】
2004032086.tif 000003
【図２】
2004032086.tif 000004
【図３】
2004032086.tif 000005
【図４】
2004032086.tif 000006
【図５】
2004032086.tif 000007
【図６】
2004032086.tif 000008
【図７】
2004032086.tif 000009
【図８】
2004032086.tif 000010
【図９】
2004032086.tif 000011